(57)【要約】【課題】天井面、壁面のいずれにも適合させて取り付けることができる使い勝手の良い雨樋集水ますを提供する。【解決手段】上方へ開口して底部に落とし口が形成された器状のます本体２と、ます本体２の上方開口を塞ぐ板状で中程に排水管挿入口３が形成された蓋体４と、を備え、蓋体４に対します本体２が下方から係止して取り付けられる雨樋集水ますにおいて、蓋体４の排水管挿入口３の周囲に天井面取付用の上方取付孔５を配設し、同蓋体４の後縁に壁面取付用の側方取付孔６を有する固定片７を垂設した。【選択図】図１
2007100331.tif 000002
【特許請求の範囲】
【請求項１】
上方へ開口して底部に落とし口が形成された器状のます本体と、ます本体の上方開口を塞ぐ板状で中程に排水管挿入口が形成された蓋体と、を備え、蓋体に対します本体が下方から係止して取り付けられる雨樋集水ますであり、蓋体の排水管挿入口の周囲に天井面取付用の上方取付孔を配設し、同蓋体の後縁に壁面取付用の側方取付孔を有する固定片を垂設してなる雨樋集水ます。
【請求項２】
ます本体の上方開口の両側口縁に外方へ突出したフランジ片を形成し、蓋体の両側縁に下方内側へと屈曲した受け片を形成し、受け片にフランジ片を前後方向スライド自在に係止して蓋体にます本体が取り付けられるようになしたことを特徴とする請求項１記載の雨樋集水ます。
【請求項３】
フランジ片が受け片から前方へと抜け外れるのを防止するストッパー手段を備えたことを特徴とする請求項２記載の雨樋集水ます。
【請求項４】
固定片が有する側方取付孔を蓋体の後縁の両端部に配設し、両側方取付孔を各々その中心軸線が後方内側へと傾斜するように形成したことを特徴とする請求項１〜３のいずれか一項記載の雨樋集水ます。
【発明の詳細な説明】
【技術分野】
【０００１】
本願発明は、上方へ開口した器状のます本体と、このます本体の上方開口を塞ぐ蓋体とを備え、蓋体に対します本体が下方から係止して取り付けられる雨樋集水ますに関するものである。
【背景技術】
【０００２】
従来から、実開平５−６２６１７号公報（特許文献１）に示されるように、上方へ開口して底部に落とし口が形成された器状のます本体と、ます本体の上方開口を塞ぐ板状で中程に排水管挿入口が形成された蓋体と、を備え、蓋体に対します本体が下方から係止して取り付けられる雨樋集水ますは知られている。この場合、蓋体の排水管挿入口の周囲に天井面取付用の取付孔が配設されており、この取付孔に挿通されるビスにて蓋体は玄関ポーチ屋根の下面や軒天井面等の天井面に固定され、そして、同蓋体に対します本体が下方から係止して取り付けられる。
【０００３】
しかしながら、上記の雨樋集水ますは、建物の外壁面等の壁面に取り付けることができないものであった。また、特開平９−２５６９１号公報（特許文献２）や特開平１０−４６７６５号公報（特許文献３）等に示される雨樋集水ますは、建物の外壁面等の壁面に取り付けられるものであって、玄関ポーチ屋根の下面や軒天井面等の天井面には取り付けることができないものであった。このように、従来にあっては、天井面に取り付けられる雨樋集水ますと壁面に取り付けられる雨樋集水ますとは全く別異のものであり、共用し得ないものであった。
【特許文献１】実開平５−６２６１７号公報
【特許文献２】特開平９−２５６９１号公報
【特許文献３】特開平１０−４６７６５号公報
【発明の開示】
【発明が解決しようとする課題】
【０００４】
本願発明は、上記背景技術に鑑みてなされたものであり、その課題は、天井面、壁面のいずれにも適合させて取り付けることができる使い勝手の良い雨樋集水ますを提供することである。
【課題を解決するための手段】
【０００５】
上記課題を解決するために、本願発明の雨樋集水ますは、上方へ開口して底部に落とし口が形成された器状のます本体と、ます本体の上方開口を塞ぐ板状で中程に排水管挿入口が形成された蓋体と、を備え、蓋体に対します本体が下方から係止して取り付けられる雨樋集水ますであり、蓋体の排水管挿入口の周囲に天井面取付用の上方取付孔を配設し、同蓋体の後縁に壁面取付用の側方取付孔を有する固定片を垂設してなる。
【発明の効果】
【０００６】
本願発明の雨樋集水ますにおいては、蓋体の排水管挿入口の周囲に天井面取付用の上方取付孔が配設されているので、この上方取付孔に挿通されるビス等の固定具にて蓋体を玄関ポーチ屋根の下面や軒天井面等の天井面に安定させて固定することができ、また、同蓋体の後縁に壁面取付用の側方取付孔を有する固定片が垂設されているので、この側方取付孔に挿通されるビス等の固定具にて蓋体を建物の外壁面等の壁面に固定片を介し安定させて固定することもでき、いずれにあっても、前記固定された蓋体に対します本体が下方から係止して簡単に取り付けられ、このように、天井面、壁面のいずれにも適合させて簡単に取り付けることができ、使い勝手は良好である。
【発明を実施するための最良の形態】
【０００７】
図１〜８は、本願請求項１〜４全てに対応した一実施形態である雨樋集水ますを示している。この実施形態の雨樋集水ますは、図１〜３に示すように、上方へ開口して底部に落とし口１が形成された器状のます本体２と、ます本体２の上方開口を塞ぐ板状で中程に排水管挿入口３が形成された蓋体４と、を備え、蓋体４に対します本体２が下方から係止して取り付けられるものである。そして、この雨樋集水ますにおいて、蓋体４の排水管挿入口３の周囲に天井面取付用の上方取付孔５を配設し、同蓋体４の後縁に壁面取付用の側方取付孔６を有する固定片７を垂設したものである。
【０００８】
この実施形態の雨樋集水ますでは、図４にも示すように、ます本体２の上方開口の両側口縁に外方へ突出したフランジ片８を形成し、蓋体４の両側縁に下方内側へと屈曲した受け片９を形成し、受け片９にフランジ片８を前後方向スライド自在に係止して蓋体４にます本体２が取り付けられるようになしている。そして、この場合に、フランジ片８が受け片９から前方へと抜け外れるのを防止するストッパー手段（凸起１０）を備えている。また、この実施形態の雨樋集水ますでは、図３に示すように、固定片７が有する側方取付孔６を蓋体４の後縁の両端部に配設し、両側方取付孔６を各々その中心軸線Ｘが後方内側へと傾斜するように形成している。
【０００９】
以下、この実施形態の雨樋集水ますを、より具体的詳細に説明する。図１、２に示すように、この実施形態の雨樋集水ますは角ますであり、ます本体２が上方へ開口した平面視四角形状の箱型器状に形成されている。ます本体２は合成樹脂で一体に射出成型されたものであり、その上方開口の両側口縁に外方へ突出したフランジ片８が形成されている。両側のフランジ片８の下側には凸起１０が突設されており、この両凸起１０は、後述する蓋体４の受け片９の端部がこれに当止されて、この受け片９から同フランジ片８が前方へと抜け外れるのを防止するストッパー手段となる。なお、フランジ片８はます本体２の上方開口の両側口縁だけでなく、上方開口の口縁全周に亘って延設されている。
【００１０】
ます本体２の後壁部２ａの上部両側には、内側へ略Ｖ字状に屈曲してその外側部分に凹所１１が形成されており、この凹所１１には後述する蓋体４の固定片７の内側へ突出した傾斜部分が適合して納められる。ます本体２の底部には、図２に示すように、短円筒状の落とし口１が一体に垂設されており、この落とし口１には後述する鎖状樋１７（図５）や竪樋１８（図７）等が接続垂下される。
【００１１】
図１、３に示すように、蓋体４は前記ます本体２の上方開口に適合した四角形状で、合成樹脂にて一体に射出成型されたものである。蓋体４の中程には大きく四角形状に開口した排水管挿入口３が形成されており、この排水管挿入口３の内周には湾曲ガイド片１２が全周に亘って垂設され、同排水管挿入口３には上方から排水管（図示せず）が挿入接続される。排水管挿入口３の周囲である蓋体４の四隅部分には、天井面取付用の上方取付孔５が穿設されており、この上方取付孔５に下方から挿通されるビス等の固定具によって、同蓋体４は後述（図５）する天井面Ａに固定される。
【００１２】
蓋体４の両側縁には、図４にも示すように、下方内側へと屈曲した受け片９が形成されており、この受け片９には前記フランジ片８が前後方向スライド自在に係止されるものである。受け片９は略Ｌ字状に屈曲し、垂下する縦片部９ａと内側へ突出する横片部９ｂとでなり、図３に示すように、蓋体４の両側縁の各中程で前後に別けて配設されている。また、射出成型時の型抜きのために、受け片９の横片部９ｂに対応させて蓋体４には抜き口１３が形成されている。
【００１３】
前記受け片９の縦片部９ａだけは蓋体４の両側縁の各中程だけでなく、蓋体４の両側縁及び後縁の全長に亘りカバー片１４として延設されている。そして、後縁のカバー片１４の両側端部分が更に下方へ延設されて固定片７となり、この固定片７には壁面取付用の側方取付孔６が穿設されている。両固定片７の前面は各々斜め外側を向くように傾斜しており、各固定片７に穿設される側方取付孔６は各々その中心軸線Ｘが後方内側へと傾斜するように形成されていて、両側方取付孔６に前方斜め外側から挿通されるビス等の固定具によって、蓋体４は同固定片７を介して後述（図７）する壁面Ｂに固定される。
【００１４】
また、図１に示すように、前記上方取付孔５及び抜き口１３の各周囲には、蓋体４の上面に突出した厚肉部１５が形成され、同蓋体４の外周縁には全周に亘って上方へ突出した凸リブ１６が形成されており、これ等厚肉部１５及び凸リブ１６によって蓋体４は補強されている。そして、厚肉部１５及び凸リブ１６の各上端は同一高さに設定されており、蓋体４を後述（図５）する天井面Ａに固定した際に、厚肉部１５及び凸リブ１６の各上端が天井面Ａに当接されて、蓋体４は安定した状態で確実に固定される。
【００１５】
したがって、この実施形態の雨樋集水ますにおいては、蓋体４の排水管挿入口３の周囲に天井面取付用の上方取付孔５が配設されているので、この上方取付孔５に挿通されるビス（図示せず）によって、蓋体４を玄関ポーチ屋根やバルコニー等の下面、軒天井面等の天井面Ａに安定させて固定することができるものであり、この施工形態を図５に示す。この場合、ます本体２の落とし口１には鎖状樋１７が接続垂下されており、蓋体４の排水管挿入口３には屋上やバルコニー等から配管垂設される排水管（図示せず）が挿入接続される。なお、ます本体２の落とし口１には、後述する図７と同様に、竪樋１８が接続垂下されてもよい。
【００１６】
そして、この施工形態では、図６に示すように、ます本体２を蓋体４に対し最後端位置までスライドさせてやることで、両者が違和感なくコンパクトに組み合わされて外観良く納まる。この場合、固定片７の傾斜して突出した前面部分はます本体２の後壁部２ａの両凹所１１に各々適合して納められ、ます本体２の上方開口における両側縁及び後縁の外側が蓋体４のカバー片１４で覆い隠されて体裁良く納まるものである。
【００１７】
また別に、蓋体４の後縁には壁面取付用の側方取付孔６を有する固定片７が垂設されているので、この側方取付孔６に挿通されるビス（図示せず）によって、蓋体４を建物の外壁面等の壁面Ｂに固定片７を介し安定させて固定することができるものであり、この施工形態を図７に示す。この場合、ます本体２の落とし口１には竪樋１８が接続垂下されており、この竪樋１８は壁面Ｂに樋保持具１９で固定され、同壁面Ｂに対し所定の距離を隔てて支持されている。蓋体４の排水管挿入口３には、屋根上や屋上から配管される等して壁面Ｂに突設される排水管（図示せず）が挿入接続される。
【００１８】
そして、この施工形態では、図８に示すように、ます本体２を蓋体４に対し前方へスライドさせて施工現場に適合した出具合にしてやることで、前述した図７のように、ます本体２が竪樋１８と共に壁面Ｂに対して距離を隔てた所定の位置で確実に支持される。この場合、ます本体２が前方へスライド移動し過ぎて蓋体４から外れようとしても、ます本体２のフランジ片８の凸起１０が蓋体４の受け片９の端部（後側の受け片９の横片部９ｂの後端）に当止してストッパー作用をなすので、フランジ片８の前方への抜け外れは防止され、ます本体２の蓋体４からの脱落が防止されて安全である。
【００１９】
また、ます本体２の上方開口の両側口縁に外方へ突出したフランジ片８が形成され、蓋体４の両側縁に下方内側へと屈曲した受け片９が形成され、受け片９にフランジ片８が前後方向スライド自在に係止されているので、前記出具合の調整作業におけるスライド操作はスムーズに行われるものであり、この場合、摺動するフランジ片８がその外側を受け片９で覆われる形で係止されているので、同スライド操作は蓋体４が固定された後でも支障なく行われるものである。
【００２０】
更に、図３にて説明したように、固定片７の側方取付孔６はその中心軸線Ｘが後方内側へと傾斜するように形成されているので、両側方取付孔６にはその前方斜め外側からビス等の固定具を容易に挿通させることができ、この固定具による蓋体４の固定作業は行い易くなる。そして、上記いずれの施工形態にあっても、固定された蓋体４に対します本体２が下方からスライド操作により係止して簡単に取り付けられ、このように、天井面Ａ、壁面Ｂのいずれにも適合させて簡単に取り付けることができ、使い勝手は良好である。
【図面の簡単な説明】
【００２１】
【図１】本願発明の一実施形態である雨樋集水ますを示す斜め上方から見た分解斜視図。
【図２】同雨樋集水ますのます本体を示す斜め下方から見た斜視図。
【図３】同雨樋集水ますの蓋体を示すその裏側を斜め上方から見た斜視図。
【図４】同雨樋集水ますの要部を拡大して示す縦断面図。
【図５】同雨樋集水ますの一施工形態を示す側面図。
【図６】同施工形態での雨樋集水ますを示す斜め下方から見た斜視図。
【図７】同雨樋集水ますの別の施工形態を示す側面図。
【図８】同施工形態での雨樋集水ますを示す斜め下方から見た斜視図。
【符号の説明】
【００２２】
１  落とし口
２  ます本体
３  排水管挿入口
４  蓋体
５  上方取付孔
６  側方取付孔
７  固定片
８  フランジ片
９  受け片
１０  凸起（ストッパー手段）
Ｘ  中心軸線
Ａ  天井面
Ｂ  壁面
【図１】
2007100331.tif 000003
【図２】
2007100331.tif 000004
【図３】
2007100331.tif 000005
【図４】
2007100331.tif 000006
【図５】
2007100331.tif 000007
【図６】
2007100331.tif 000008
【図７】
2007100331.tif 000009
【図８】
2007100331.tif 000010